(57)【要約】【課題】単一の操作チェーンを比較的簡単な作業でスクリーンの左右のどちらにも設置でき、これにより操作チェーンの操作性を向上する。【解決手段】天井１９に取付けられた一対の支持プレート１２に巻取パイプ１３の両端が支持され、巻取パイプに上縁が固定されたスクリーン１４が巻取パイプに繰出し可能に巻取られ、巻取パイプを正転又は逆転させてスクリーンを繰出し又は巻取るために単一の操作チェーン１６が操作される。巻取パイプの外周面にこの巻取パイプの長手方向に延びる凹条１３ａが形成され、スクリーンの上縁が凹条に固定部材３５を介して固定される。固定部材が、凹条に中間部材３０を介して係止する係止部３６と、スクリーンの上縁に固着された固着部３７とを備える。巻取パイプをスクリーンとともに左右反転させたときにスクリーンを巻取パイプに対し更に反転させて係止部を凹条に係止可能に構成される。【選択図】図１
2015063885.tif 000002
【特許請求の範囲】
【請求項１】
壁、窓枠又は天井(19)に所定の間隔をあけて取付けられた一対の支持プレート(11,12)と、両端がこれらの支持プレート(11,12)により回転可能に支持された巻取パイプ(13,63、93,153)と、この巻取パイプ(13,63,93,153)に上縁が固定され前記巻取パイプ(13,63,93,153)に繰出し可能に巻取られるスクリーン(14)と、前記巻取パイプ(13,63,93,153)を正転又は逆転させて前記スクリーン(14)を繰出し又は巻取るために操作される単一の操作チェーン(16)とを備えたロールスクリーンであって、
前記巻取パイプ(13,63,93,153)の外周面にこの巻取パイプ(13,63,93,153)の長手方向に全長にわたって延びる凹条(13a,63a,93a,153a)が形成され、
前記スクリーン(14)の上縁が前記凹条(13a,63a,93a,153a)に固定部材(35,105,135)を介して固定され、
前記固定部材(35,105,135)が、前記凹条(13a,63a,93a,153a)に中間部材(30,70,160)を介して又は凹条(93a)に直接離脱可能に係止する係止部(36,106,136)と、前記係止部(36,106,136)と一体的に設けられ前記スクリーン(14)の上縁に固着された固着部(37)とを備え、
前記巻取パイプ(13,63,93,153)を前記スクリーン(14)とともに左右反転させたときに前記スクリーン(14)を前記巻取パイプ(13,63,93,153)に対し更に反転させて前記係止部(34,104,134)を前記凹条(13a,63a,93a,153a)に係止可能に構成された
ことを特徴とするロールスクリーンのスクリーン固定構造。
【請求項２】
前記中間部材(30,70)が、前記凹条(13a,63a)に挿入される挿入部(33,73)と、この挿入部(33,73)と一体的に設けられ前記巻取パイプ(13,63)の軸線を含みかつ前記凹条(13a,63a)を上下に２分割する平面に対して上下対称になるように前記凹条(13a,63a)からそれぞれ突設された第１及び第２被係止部(31,32,71,72)とを有し、
前記係止部(36)が前記第１又は第２被係止部(31,32,71,72)のいずれか一方に選択的に係止可能に構成された請求項１記載のロールスクリーンのスクリーン固定構造。
【請求項３】
前記第１被係止部(31)が、前記挿入部(33)と一体的に設けられ前記凹条(13a)から前記巻取パイプ(13)の外周面に突出し前記巻取パイプ(13)の外周面に沿って下方又は上方に延びる第１連結片(31a)と、前記第１連結片(31a)の表面に突設され前記巻取パイプ(13)の軸線に沿って延びかつ前記巻取パイプ(13)の半径方向外側に延び先端が上方又は下方に屈曲する複数の第１突片(31b)とを有し、
前記第２被係止部(32)が、前記挿入部(33)と一体的に設けられ前記凹条(13a)から前記巻取パイプ(13)の外周面に突出し前記巻取パイプ(13)の外周面に沿って上方又は下方に延びる第２連結片(32a)と、前記第２連結片(32a)の表面に突設され前記巻取パイプ(13)の軸線に沿って延びかつ前記巻取パイプ(13)の半径方向外側に延び先端が下方又は上方に屈曲する複数の第２突片(32b)とを有し、
前記係止部(36)が、前記固着部(37)と一体的に設けられ先端が下方に屈曲する複数のフック片(36a)を有し、
前記複数のフック片(36a)が前記第１又は第２突片(31b,32b)のうち先端が上側に屈曲している突片(31b,32b)に係止するように構成された請求項２記載のロールスクリーンのスクリーン固定構造。
【請求項４】
前記第１被係止部(71)が、前記挿入部(73)のうち前記凹条(63a)から臨む露出面の下半分又は上半分に突設され前記巻取パイプ(63)の軸線に沿って延びかつ前記巻取パイプ(63)の半径方向外側に延び先端が上方又は下方に屈曲する複数の第１突片(71a)を有し、
前記第２被係止部(72)が、前記挿入部(73)のうち前記凹条(63a)から臨む露出面の上半分又は下半分に突設され前記巻取パイプ(63)の軸線に沿って延びかつ前記巻取パイプ(63)の半径方向外側に延び先端が下方又は上方に屈曲する複数の第２突片(72a)を有し、
前記係止部(36)が、前記固着部(37)と一体的に設けられ先端が下方に屈曲する複数のフック片(36a)を有し、
前記複数のフック片(36a)が前記第１又は第２突片(71a,72a)のうち先端が上側に屈曲している突片(71a,72a)に係止するように構成された請求項２記載のロールスクリーンのスクリーン固定構造。
【請求項５】
前記係止部(106)が、前記凹条(93a)に前記巻取パイプ(93)の端部から前記巻取パイプ(93)の軸線に沿って挿入されることにより、前記係止部(106)が前記凹条(93a)に直接離脱可能に係止するように構成された請求項１記載のロールスクリーンのスクリーン固定構造。
【請求項６】
前記係止部(136)が、前記凹条(93a)に前記巻取パイプ(93)の外周面から前記巻取パイプ(93)の中心に向い弾性変形させて挿入されることにより、前記係止部(136)が前記凹条(93a)に直接離脱可能に係止するように構成された請求項１記載のロールスクリーンのスクリーン固定構造。
【請求項７】
前記中間部材(160)が、前記巻取パイプ(153)と一体的に設けられ前記巻取パイプ(153)の軸線を含みかつ前記凹条(153a)を上下に２分割する平面に対して上下対称になるように前記凹条(153a)の下部底面及び上部底面からそれぞれ突設された第１及び第２被係止部(161,162)を有し、
前記第１被係止部(161)が、前記巻取パイプ(153)の軸線に沿って延びかつ前記巻取パイプ(153)の半径方向外側に延び先端が上方又は下方に屈曲する複数の第１突片(161a)を有し、
前記第２被係止部(162)が、前記巻取パイプ(153)の軸線に沿って延びかつ前記巻取パイプ(153)の半径方向外側に延び先端が下方又は上方に屈曲する複数の第２突片(162a)を有し、
前記係止部(36)が、前記固着部(37)と一体的に設けられ先端が下方に屈曲する複数のフック片(36a)を有し、
前記複数のフック片(36a)が前記第１又は第２突片(161a,162a)のいずれか一方に選択的に係止可能に構成された請求項１記載のロールスクリーンのスクリーン固定構造。
【発明の詳細な説明】
【技術分野】
【０００１】
本発明は、手動式のロールスクリーンの操作チェーンの操作により巻取られ又は繰出されるスクリーンを巻取パイプに固定する構造に関するものである。
【背景技術】
【０００２】
従来、手動で巻取られ又は繰出されるスクリーンの巻取り又は繰出しのための操作部がロールスクリーン本体の両側又は両側及び中間に設けられ、ロールスクリーン本体の両側又は両側及び中間で操作可能なロールスクリーンが開示されている（例えば、特許文献１参照。）。このロールスクリーンを連結設置した際、或いはスクリーンの幅が広い場合に、スクリーンの両側又は両側及び中間に操作部である操作チェーンを設けることにより、両側又は中間の任意の場所で操作チェーンにて巻取り又は繰出しの操作を行うことができ、使い勝手が良好になる。
【０００３】
一方、回転式ブラケット操作部が第２ブラケットに接着又は一体的に形成され、その操作部が金属性球と環からなるタイプ、又はロープと球からなるタイプからできている球の付いたロープを備えた回転式ブラインドが開示されている（例えば、特許文献２参照。）。この回転式ブラインドでは、上記のように回転式ブラインド操作部が第１ブラケットに装備される一方、第２ブラケットが同様の回転式ブラインド操作部を備える。また回転式ブラインドの筒部である金属筒はその筒の端に沿って延びる溝を備え、その溝は細長のロッドを支持し、その細長のロッドは溝の内部に薄い回転ブラインド材を帯びる。
【先行技術文献】
【特許文献】
【０００４】
【特許文献１】特開平１０−７２９８７号公報（請求項１、段落［００２０］、図１）
【特許文献２】特開２０００−２４０３７９号公報（段落［０００７］、［０００８］、［００２２］、図１、図２、図８、図９）
【発明の概要】
【発明が解決しようとする課題】
【０００５】
しかし、上記従来の特許文献１に示されたロールスクリーンや、上記従来の特許文献２に示された回転式ブラインドでは、操作チェーンや回転式ブラインド操作部（以下、単に操作チェーンという。）を両端部に備えているため、部品点数が増大するだけでなく、全体的に嵩張り見栄えも低下する不具合があった。また、両端部に備えた操作チェーンを頻繁に切り替えて使用することはないため、ロールスクリーン等の設置状況に応じて操作チェーンが固定的に決まってしまうことが多く、常時２本の操作チェーンを備えることは余剰となる。
【０００６】
一方、操作チェーンを１本しか備えていないロールスクリーン等では、設置した後で操作チェーンの位置を変更することは可能であるけれども、ロールスクリーン等を左右反転させて操作チェーンの位置を変更すると、スクリーン又は回転ブラインド材の室内側に位置すべき面、即ちスクリーン又は回転ブラインド材の意匠面が窓側になってしまい、見栄えを損なう問題点があった。このため、スクリーン又は回転ブラインド材のみ表裏を反転させる必要がある。例えば、従来の特許文献２に示された回転式ブラインドにおいて、回転ブラインド材のみ裏表を反転させるには、先ず第１及び第２ブラケットから金属筒を外してこの金属筒の溝からロッドを外し、次いで回転ブラインド材のみを表裏反転させ、次にこの回転ブラインド材の上縁をロッドとともに金属筒の溝に挿入し、更にこの金属筒を第１及び第２ブラケットに取付けなければならず、作業が極めて煩雑であり、作業時間が増大する問題点がある。
【０００７】
本発明の目的は、単一の操作チェーンを比較的簡単な作業でスクリーンの左右のどちらにも設置でき、これにより操作チェーンの操作性を向上できる、ロールスクリーンのスクリーン固定構造を提供することにある。
【課題を解決するための手段】
【０００８】
本発明の第１の観点は、図１〜図６に示すように、壁、窓枠又は天井１９に所定の間隔をあけて取付けられた一対の支持プレート１１，１２と、両端がこれらの支持プレート１１，１２により回転可能に支持された巻取パイプ１３と、この巻取パイプ１３に上縁が固定され巻取パイプ１３に繰出し可能に巻取られるスクリーン１４と、巻取パイプ１３を正転又は逆転させてスクリーン１４を繰出し又は巻取るために操作される単一の操作チェーン１６とを備えたロールスクリーンであって、巻取パイプ１３の外周面にこの巻取パイプ１３の長手方向に全長にわたって延びる凹条１３ａが形成され、スクリーン１４の上縁が凹条１３ａに固定部材３５を介して固定され、固定部材３５が、凹条１３ａに中間部材３０を介して又は凹条に直接離脱可能に係止する係止部３６と、係止部３６と一体的に設けられスクリーン１４の上縁に固着された固着部３７とを備え、巻取パイプ１３をスクリーン１４とともに左右反転させたときにスクリーン１４を巻取パイプ１３に対し更に反転させて係止部３６を凹条１３ａに係止可能に構成されたことを特徴とする。
【０００９】
本発明の第２の観点は、第１の観点に基づく発明であって、更に図１〜図３に示すように、中間部材３０が、凹条１３ａに挿入される挿入部３３と、この挿入部３３と一体的に設けられ巻取パイプ１３の軸線を含みかつ凹条１３ａを上下に２分割する平面に対して上下対称になるように凹条１３ａからそれぞれ突設された第１及び第２被係止部３１，３２とを有し、係止部３６が第１又は第２被係止部３１，３２のいずれか一方に選択的に係止可能に構成されたことを特徴とする。
【００１０】
本発明の第３の観点は、第２の観点に基づく発明であって、更に図１〜図３に示すように、第１被係止部３１が、挿入部３３と一体的に設けられ凹条１３ａから巻取パイプ１３の外周面に突出し巻取パイプ１３の外周面に沿って下方又は上方に延びる第１連結片３１ａと、第１連結片３１ａの表面に突設され巻取パイプ１３の軸線に沿って延びかつ巻取パイプ１３の半径方向外側に延び先端が上方又は下方に屈曲する複数の第１突片３１ｂとを有し、第２被係止部３２が、挿入部３３と一体的に設けられ凹条１３ａから巻取パイプ１３の外周面に突出し巻取パイプ１３の外周面に沿って上方又は下方に延びる第２連結片３２ａと、第２連結片３２ａの表面に突設され巻取パイプ１３の軸線に沿って延びかつ巻取パイプ１３の半径方向外側に延び先端が下方又は上方に屈曲する複数の第２突片３２ｂとを有し、係止部３６が、固着部３７と一体的に設けられ先端が下方に屈曲する複数のフック片３６ａを有し、複数のフック片３６ａが第１又は第２突片３１ｂ，３２ｂのうち先端が上側に屈曲している突片３１ｂ，３２ｂに係止するように構成されたことを特徴とする。
【００１１】
本発明の第４の観点は、第２の観点に基づく発明であって、更に図８〜図１０に示すように、第１被係止部７１が、挿入部７３のうち凹条６３ａから臨む露出面の下半分又は上半分に突設され巻取パイプ６３の軸線に沿って延びかつ巻取パイプ６３の半径方向外側に延び先端が上方又は下方に屈曲する複数の第１突片７１ａを有し、第２被係止部７２が、挿入部７３のうち凹条６３ａから臨む露出面の上半分又は下半分に突設され巻取パイプ６３の軸線に沿って延びかつ巻取パイプ６３の半径方向外側に延び先端が下方又は上方に屈曲する複数の第２突片７２ａを有し、係止部３６が、固着部３７と一体的に設けられ先端が下方に屈曲する複数のフック片３６ａを有し、複数のフック片３６ａが第１又は第２突片７１ａ，７２ａのうち先端が上側に屈曲している突片７１ａ，７２ａに係止するように構成されたことを特徴とする。
【００１２】
本発明の第５の観点は、第１の観点に基づく発明であって、更に図１１〜図１３に示すように、係止部１０６が、凹条９３ａに巻取パイプ９３の端部から巻取パイプ９３の軸線に沿って挿入されることにより、係止部１０６が凹条９３ａに直接離脱可能に係止するように構成されたことを特徴とする。
【００１３】
本発明の第６の観点は、第１の観点に基づく発明であって、更に図１４〜図１６に示すように、係止部１３６が、凹条９３ａに巻取パイプ９３の外周面から巻取パイプ９３の中心に向い弾性変形させて挿入されることにより、係止部１３６が凹条９３ａに直接離脱可能に係止するように構成されたことを特徴とする。
【００１４】
本発明の第７の観点は、第１の観点に基づく発明であって、更に図１７〜図１９に示すように、中間部材１６０が、巻取パイプ１５３と一体的に設けられ巻取パイプ１５３の軸線を含みかつ凹条１５３ａを上下に２分割する平面に対して上下対称になるように凹条１５３ａの下部底面及び上部底面からそれぞれ突設された第１及び第２被係止部１６１，１６２を有し、第１被係止部１６１が、巻取パイプ１５３の軸線に沿って延びかつ巻取パイプ１５３の半径方向外側に延び先端が上方又は下方に屈曲する複数の第１突片１６１ａを有し、第２被係止部１６２が、巻取パイプ１５３の軸線に沿って延びかつ巻取パイプ１５３の半径方向外側に延び先端が下方又は上方に屈曲する複数の第２突片１６２ａを有し、係止部３６が、固着部３７と一体的に設けられ先端が下方に屈曲する複数のフック片３６ａを有し、複数のフック片３６ａが第１又は第２突片１６１ａ，１６２ａのいずれか一方に選択的に係止可能に構成されたことを特徴とする。
【発明の効果】
【００１５】
本発明の第１の観点のロールスクリーンのスクリーン固定構造では、固定部材の係止部を、凹条に中間部材を介して又は凹条に直接離脱可能に係止したので、巻取パイプをスクリーンとともに左右反転させた後に、スクリーンを巻取パイプに対し更に反転させて係止部を凹条に係止することにより、スクリーンの模様等を施した表面（意匠面）が室内側に向き、スクリーンの模様等を施していない裏面が窓側に向く。この結果、スクリーンの見栄えを損なわない。このような比較的簡単な作業で操作チェーンの位置を変更でき、これにより操作チェーンの操作性を向上できる。
【００１６】
本発明の第２の観点のロールスクリーンのスクリーン固定構造では、凹条に中間部材の挿入部を挿入し、巻取パイプの軸線を含みかつ凹条を上下に２分割する平面に対して上下対称になるように第１及び第２被係止部を凹条からそれぞれ突設し、更に係止部を第１又は第２被係止部に選択的に係止するように構成したので、ロールスクリーンを天井等に取付けた後に、操作チェーンの位置をスクリーンの右側から左側に或いは左側から右側に変更する作業は、次のように手順で行う。先ずスクリーンを全て繰出してスクリーン上縁の係止部を第１又は第２被係止部から外す。次にスクリーンを取外したロールスクリーンを天井等から外し左右反転させて再び天井等に取付ける。更に巻取パイプをその回転軸を中心に半回転させてスクリーン上縁の係止部を第２又は第１被係止部に係止させる。これによりスクリーンの模様等を施した表面（意匠面）が室内側に向き、スクリーンの模様等を施していない裏面が窓側に向くので、スクリーンの見栄えを損なわない。このような比較的簡単な作業で操作チェーンの位置を変更でき、これにより操作チェーンの操作性を向上できる。なお、スクリーンを巻取パイプから取外す作業はロールスクリーンを左右反転させた後に行ってもよい。
【００１７】
本発明の第３の観点のロールスクリーンのスクリーン固定構造では、先端が下方に屈曲する複数のフック片を第１又は第２突片のうち先端が上側に屈曲している突片に係止させるので、ロールスクリーンを天井等に取付けた後に、操作チェーンの位置をスクリーンの右側から左側に或いは左側から右側に変更する作業は、次のような手順で行う。先ずスクリーンを全て繰出して、スクリーン上縁のフック片の先端が下向きであってこのフック片が係止している第１又は第２突片の先端が上向きの状態で停止して、フック片を第１又は第２突片から外す。次にスクリーンを取外したロールスクリーンを天井等から外し左右反転させて再び天井等に取付ける。更に巻取パイプをその回転軸を中心に半回転させ、第２又は第１突片の先端が上向きになった状態で停止して、スクリーン上縁の先端下向きのフック片を先端上向きの第２又は第１突片に係止させる。これによりスクリーンの模様等を施した表面（意匠面）が室内側に向き、スクリーンの模様等を施していない裏面が窓側に向くので、スクリーンの見栄えを損なわない。このような比較的簡単な作業で操作チェーンの位置を変更でき、これにより操作チェーンの操作性を向上できる。なお、スクリーンを巻取パイプから取外す作業はロールスクリーンを左右反転させた後に行ってもよい。
【００１８】
本発明の第４の観点のロールスクリーンのスクリーン固定構造では、先端が下方に屈曲する複数のフック片を第１又は第２突片のうち先端が上側に屈曲している突片に係止させるので、上記第３の観点のスクリーン固定構造と同様の効果を奏する。また中間部材が上記第３の観点のスクリーン固定構造の中間部材より単純な形状であるため、中間部材を成形するための金型の作製工数を低減できるとともに、中間部材自体の製造コストを低減できる。
【００１９】
本発明の第５の観点のロールスクリーンのスクリーン固定構造では、巻取パイプをスクリーンとともに左右反転させた後に、スクリーンを巻取パイプに対し更に反転させて係止部を凹条に係止するときに、係止部を、凹条に巻取パイプの端部から巻取パイプの軸線に沿って挿入する。このため、係止部を凹条に係止するための作業性は低下するけれども、中間部材を用いずに済むので、部品点数を削減できる。
【００２０】
本発明の第６の観点のロールスクリーンのスクリーン固定構造では、巻取パイプをスクリーンとともに左右反転させた後に、スクリーンを巻取パイプに対し更に反転させて係止部を凹条に係止するときに、係止部を、凹条に巻取パイプの外周面から巻取パイプの中心に向い弾性変形させて挿入する。このため、係止部を凹条に係止するための作業性を向上できるとともに、中間部材を用いずに済むので、部品点数を削減できる。
【００２１】
本発明の第７の観点のロールスクリーンのスクリーン固定構造では、先端が下方に屈曲する複数のフック片を第１又は第２突片のうち先端が上側に屈曲している突片に係止させるので、上記第３の観点のスクリーン固定構造と同様の効果を奏する。また中間部材の第１及び第２被係止部を巻取パイプと一体的に設けたので、部品点数を削減できる。
【図面の簡単な説明】
【００２２】
【図１】本発明第１実施形態のロールスクリーンのスクリーン固定構造を示す図４のＡ−Ａ線断面図である。
【図２】スクリーンを巻取パイプから取外した後に支持バーを巻取パイプとともに左右反転させてブラケットに取付けた状態を示す図５のＢ−Ｂ線断面図である。
【図３】スクリーンを巻取パイプから取外して巻取パイプを回転軸を中心に半回転させた後にスクリーンを左右反転させて再びスクリーンを巻取パイプに取付けた状態を示す図６のＣ−Ｃ線断面図である。
【図４】図１のＤ矢視図である。
【図５】図２のＥ矢視図である。
【図６】図３のＦ矢視図である。
【図７】天井に取付けられたブラケットからロールスクリーンの支持バーを取外す手順を示す図４のＧ−Ｇ線断面図である。
【図８】本発明第２実施形態のロールスクリーンのスクリーン固定構造を示す図１に対応する断面図である。
【図９】図２に対応する断面図である。
【図１０】図３に対応する断面図である。
【図１１】本発明第３実施形態のロールスクリーンのスクリーン固定構造を示す図１に対応する断面図である。
【図１２】図２に対応する断面図である。
【図１３】図３に対応する断面図である。
【図１４】本発明第４実施形態のロールスクリーンのスクリーン固定構造を示す図１に対応する断面図である。
【図１５】図２に対応する断面図である。
【図１６】図３に対応する断面図である。
【図１７】本発明第５実施形態のロールスクリーンのスクリーン固定構造を示す図１に対応する断面図である。
【図１８】図２に対応する断面図である。
【図１９】図３に対応する断面図である。
【発明を実施するための形態】
【００２３】
次に本発明を実施するための形態を図面に基づいて説明する。
【００２４】
＜第１の実施の形態＞
図１及び図４に示すように、ロールスクリーン１０は、天井１９に所定の間隔をあけて取付けられた第１及び第２支持プレート１１，１２と、両端が第１及び第２支持プレート１１，１２により回転可能に支持された巻取パイプ１３と、この巻取パイプ１３に上縁が固定され巻取パイプ１３に繰出し可能に巻取られるスクリーン１４と、巻取パイプ１３を正転又は逆転させてスクリーン１４を繰出し又は巻取るために操作される単一の操作チェーン１６とを備える。上記第１及び第２支持プレート１１，１２は、支持バー１７及び一対のブラケット１８，１８を介して天井１９に取付けられる。即ち、窓の上方に位置する天井１９には、第１及び第２支持プレート１１，１２の間隔より狭い間隔をあけて一対のブラケット１８，１８がビス２３によりそれぞれ取付けられ、これらのブラケット１８，１８に単一の支持バー１７が窓の幅方向に延びかつ天井１９に沿って取付けられ、更にこの支持バー１７の両端に互いに対向するように上記第１及び第２支持プレート１１，１２が取付けられる。上記ブラケット１８と第１及び第２支持プレート１１，１２は、鋼板のプレス成形により又は樹脂の成形などにより形成され、支持バー１７はアルミニウムやアルミニウム合金等の押出し成形又は引抜き成形などにより形成される。
【００２５】
一方、巻取パイプ１３は断面円形の筒状に形成される（図１）。この巻取パイプ１３の一端は第１回転軸２１を介して第１支持プレート１１に回転可能に保持される（図４）。また巻取パイプ１３の他端は抵抗付与装置２４及び第２回転軸２２を介して第２支持プレート１２に一定の抵抗が付与された状態で回転可能に保持される。更に第２回転軸２２にはプーリ（図示せず）が嵌着され、このプーリに無端のリング状の操作チェーン１６が巻き掛けられる。この操作チェーン１６の手前側又は後ろ側のいずれか一方を、抵抗付与装置２４による一定の抵抗に抗して引下げることにより巻取パイプ１３は第１及び第２回転軸２１，２２を中心に回転し、スクリーン１４が巻取パイプ１３に巻取られて上昇したり、或いは繰出されて下降するように構成される（図１及び図４）。なお、上記抵抗付与装置２４は、スクリーン１４の自重及びこのスクリーン１４の下縁に取付けられたウエイトバー２６の自重によってスクリーン１４が繰出される方向に巻取パイプ１３が回転するのを阻止する機能を有する。また、巻取パイプ１３は、アルミニウムやアルミニウム合金等の押出し成形又は引抜き成形により形成される。
【００２６】
一方、巻取パイプ１３の外周面にこの巻取パイプ１３の長手方向に全長にわたって延びる凹条１３ａが形成され、スクリーン１４の上縁が凹条１３ａに固定部材３５を介して固定される（図１）。上記凹条１３ａは、巻取パイプ１３の外周面に露出し幅が狭く形成された狭隘溝部１３ｂと、この狭隘溝部１３ｂに連なり幅が上下に広く形成された幅広溝部１３ｃとを有する。また上記固定部材３５は、凹条１３ａに中間部材３０を介して離脱可能に係止する係止部３６と、係止部３６と一体的に設けられスクリーン１４の上縁に固着された固着部３７とを備える。これにより巻取パイプ１３をスクリーン１４とともに左右反転させたときに、スクリーン１４を巻取パイプ１３に対し更に反転させて係止部３６を凹条１３ａに中間部材３０を介して係止可能に構成される。
【００２７】
上記中間部材３０は、凹条１３ａに挿入される挿入部３３と、この挿入部３３と一体的に設けられた第１及び第２被係止部３１，３２とを有する。挿入部３３の横断面は凹条１３ａの横断面に相応する形状に形成され、挿入部３３の全長は凹条１３ａの全長と略同一に形成される。即ち、挿入部３３は、凹条１３ａの狭隘溝部１３ｂに挿入される狭隘片３３ａと、狭隘片３３ａと一体的に設けられ凹条１３ａの幅広溝部１３ｃに挿入される幅広片３３ｂとからなる。そして挿入部３３は巻取パイプ１３の端部からこの巻取パイプ１３の軸線に沿って凹条１３ａに挿入される。また第１及び第２被係止部３１，３２は、巻取パイプ１３の軸線を含みかつ凹条１３ａを上下に２分割する平面に対して上下対称になるように凹条１３ａからそれぞれ突設される。
【００２８】
具体的には、図１の拡大図に示すように、第１被係止部３１は、挿入部３３の狭隘片３３ａと一体的に設けられ凹条１３ａから巻取パイプ１３の外周面に突出し巻取パイプ１３の外周面に沿って下方に延びる第１連結片３１ａと、第１連結片３１ａの表面に突設され巻取パイプ１３の軸線に沿って延びかつ巻取パイプ１３の半径方向外側に延び先端が上方に屈曲する複数の第１突片３１ｂとを有する。また第２被係止部３２は、挿入部３３の狭隘片３３ａと一体的に設けられ凹条１３ａから巻取パイプ１３の外周面に突出し巻取パイプ１３の外周面に沿って上方に延びる第２連結片３２ａと、第２連結片３２ａの表面に突設され巻取パイプ１３の軸線に沿って延びかつ巻取パイプ１３の半径方向外側に延び先端が下方に屈曲する複数の第２突片３２ｂとを有する。更に係止部３６は第１又は第２被係止部３１，３２のいずれか一方に選択的に係止可能に構成される。具体的には、係止部３６は、固着部３７と一体的に設けられ先端が下方に屈曲する複数のフック片３６ａを有する。そして、複数のフック片３６ａが第１又は第２突片３１ｂ，３２ｂのうち先端が上側に屈曲している突片３１ｂ，３２ｂに係止するように構成される。なお、互いに一体的に設けられた第１被係止部３１、第２被係止部３２及び挿入部３３を有する中間部材３０や、互いに一体的に設けられた係止部３６及び固着部３７は、ポリエチレンや塩化ビニール等のプラスチック、或いは天然ゴムや合成ゴム等のエラストマーなどにより形成される。
【００２９】
一方、一対のブラケット１８，１８には、支持バー１７をこれらのブラケット１８，１８に着脱させるための着脱装置４０がそれぞれ設けられる（図１、図４及び図７）。支持バー１７は上面が開口する略チャンネル状に形成され、開口の両側縁には互いに近付く方向に突出する第１及び第２突起１７ａ，１７ｂが設けられる（図７）。着脱手段４０は、第１突起１７ａが係合可能に形成されブラケット１８に固定された第１係合片４１と、第２突起１７ｂが係合可能に形成され第１係合片４１に接近する方向に摺動可能にブラケット１８に取付けられた第２係合片４２と、第２係合片４２を第１係合片４１から離す方向に付勢する圧縮コイルばね４３と、第２係合片４２と一体的に設けられブラケット１８から突設されたレバー４４とを有する。ここで、支持バー１７を左右反転させることにより、支持バーの第１突起１７ａが第２係合片４２に係合し、支持バー１７の第２突起１７ｂが第１係合片４１に係合するようになっている（図２及び図３）。
【００３０】
なお、図１中の符号１６ａは操作チェーン１６に取付けられた第１ストッパであり、符号１６ｂは操作チェーン１６に取付けられた第２ストッパである。第１ストッパ１６ａは、スクリーン１４を全て繰出して、凹条１３ａが図１に示す位置に到来したとき、即ち凹条１３ａが巻取パイプ１３の軸線を含む水平面に位置しかつ固定部材３５の係止部３６が係止している第１被係止部３１から離脱しない位置に到来したときに、スクリーン１４の下降を阻止する機能を有する。第２ストッパ１６ｂは、スクリーン１４を全て巻取ったときに、スクリーン１４の更なる巻取りを阻止する機能を有する。但し、ロールスクリーン１０を左右反転させてスクリーン１４の係止部３６のフック片３６ａを第２被係止部３２の第２突片３２ｂに係止させたとき、第１ストッパ１６ａと第２ストッパ１６ｂの機能は入れ替わる。また、図１中の符号１３ｄは巻取パイプ１３の外周面に形成され第１被係止部３１の第１連結片３１ａを収容可能な第１窪み部であり、符号１３ｅは巻取パイプ１３の外周面に形成され第２被係止部３２の第２連結片３２ａを収容可能な第２窪み部である。
【００３１】
このように構成されたロールスクリーン１０の天井１９への取付方法を図１及び図４に基づいて説明する。先ず支持バー１７の両端に第１及び第２支持プレート１１，１２を取付け、第１及び第２支持プレート１１，１２間に巻取パイプ１３を取付ける。このとき巻取パイプ１３の凹条１３ａに中間部材３０の挿入部３３を予め挿入しておくとともに、操作チェーン１６をプーリに巻き掛けておく。次いで一対のブラケット１８，１８を所定の間隔をあけて天井にビス２３により固定し、これらのブラケット１８，１８に着脱装置４０を介して支持バー１７を取付ける。次に操作チェーン１６を操作して巻取パイプ１３の凹条１３ａを窓側に向け、この状態で第１ストッパ１６ａがプーリに接するまで第１ストッパ１６ａを操作チェーン１６上でずらす。このとき第１被係止部３１の複数の第１突片３１ｂの先端は上向きになる。更にスクリーン１４の上縁に取付けられた係止部３６の先端下向きのフック片３６ａを第１被係止部３１の先端上向きの第１突片３１ｂに係止した後に、操作チェーン１６を操作してスクリーン１４を全て巻取り、この状態で第２ストッパ１６ｂがプーリに接するまで第２ストッパ１６ｂを操作チェーン１６上でずらす。
【００３２】
次に操作チェーン１６をスクリーン１４の右側から左側に移行するためにロールスクリーン１０を反転させる作業を説明する。図４に示すように、操作チェーン１６がスクリーン１４の右側に位置していたけれども、部屋の模様替え等を行ったことにより、操作チェーン１６をスクリーン１４の左側に移行する必要が生じた場合、先ず操作チェーン１６を操作してスクリーン１４を全て繰出し（図１）、この状態で係止部３６のフック片３６ａを第１被係止部３１の第１突片３１ｂから外すことにより、スクリーン１４を巻取パイプ１３から取外す。次いで着脱手段４０のレバー４４を圧縮コイルばね４３の弾性力に抗してブラケット１８内に押込む（図７（ｂ））。これにより第２係止片４２が第１係止片４１に近付いて第２係止片４２が支持バー１７の第１突起１７ａから外れるので、支持バー１７をブラケット１８から取外すことができる。次に支持バー１７を左右反転させた後に再びブラケット１８に取付ける（図２及び図５）。これにより操作チェーン１６がスクリーン１４の右側から左側に移行する。この状態で操作チェーン１６を操作して凹条１３ａが窓側を向くように巻取パイプ１３を半回転させた後に（図３）、第２ストッパ１６ｂがプーリに接するまで第２ストッパ１６ｂを操作チェーン１６上でずらす（図６）。このとき第２被係止部３２の複数の第２突片３２ｂの先端は上向きになる（図３）。更にスクリーン１４の上縁に取付けられた係止部３６の先端下向きのフック片３６ａを第２被係止部３２の上向きの第２突片３２ｂにそれぞれ係止して、スクリーン１４を巻取りパイプ１３に取付けた後に（図３）、操作チェーン１６を操作してスクリーン１４を全て巻取り、この状態で第１ストッパ１６ａがプーリに接するまで第１ストッパ１６ａを操作チェーン１６上でずらす。これによりスクリーン１４の模様等を施した表面（意匠面）が室内側に向き、スクリーン１４の模様等を施していない裏面が窓側に向くので、スクリーン１４の見栄えを損なうことはない。このような比較的簡単な作業で、既に天井１９に取付けられたロールスクリーン１０の操作チェーン１６の位置をスクリーン１４の右側から左側に変更することができる（図３及び図６）。これにより操作チェーン１６の操作性を向上できる。なお、スクリーン１４を巻取パイプ１３から取外す作業はロールスクリーン１０を左右反転させた後に行ってもよい。
【００３３】
＜第２の実施の形態＞
図８〜図１０は本発明の第２の実施の形態を示す。図８〜図１０において図１〜図３と同一符号は同一部品を示す。この実施の形態では、巻取パイプ６３の外周面に形成された凹条６３ａの狭隘溝部６３ｂが幅広溝部６３ｃの幅よりは狭いけれども第１の実施の形態の狭隘溝部より幅広に形成される。そして、中間部材７０の挿入部７３が幅広溝部６３ｃに挿入される幅広片７３ａを有する。但し、上記挿入部７３は、第１の実施の形態の挿入部における狭隘片を有しない。また第１被係止部７１は、挿入部７３のうち凹条６３ａから臨む露出面の下半分に突設され巻取パイプ６３の軸線に沿って延びかつ巻取パイプ６３の半径方向外側に延び先端が上方に屈曲する複数の第１突片７１ａを有する。但し、第１被係止部７１は、第１の実施の形態の第１被係止部における第１連結片を有しない。更に第２被係止部７２は、挿入部７３のうち凹条６３ａから臨む露出面の上半分に突設され巻取パイプ６３の軸線に沿って延びかつ巻取パイプ６３の半径方向外側に延び先端が下方に屈曲する複数の第２突片７２ａを有する。但し、第２被係止部７２は、第１の実施の形態の第２被係止部における第２連結片を有しない。上記以外は第１の実施の形態と同一に構成される。
【００３４】
このように構成されたロールスクリーン６０では、中間部材７０が第１の実施の形態の中間部材より単純な形状であるため、中間部材７０を成形するための金型の作製工数を低減できるとともに、中間部材７０自体の製造コストを低減できる。一方、ロールスクリーン６０の天井１９への取付方法や、操作チェーン１６をスクリーン１４の右側から左側に移行するためにロールスクリーン６０を左右反転させる作業は、第１の実施の形態と略同様であるので、繰返しの説明を省略する。
【００３５】
＜第３の実施の形態＞
図１１〜図１３は本発明の第３の実施の形態を示す。図１１〜図１３において図１〜図３と同一符号は同一部品を示す。この実施の形態では、固定部材１０５の係止部１０６が、凹条９３ａに巻取パイプ９３の端部から巻取パイプ９３の軸線に沿って挿入されることにより、係止部１０６が凹条９３ａに直接離脱可能に係止するように構成される。即ち、この実施の形態では、第１及び第２の実施の形態のような中間部材は用いられない。具体的には、巻取パイプ９３の凹条９３ａは、巻取パイプ９３の外周面に露出し幅が狭く形成された狭隘溝部９３ｂと、この狭隘溝部９３ｂに連なり幅が上下に広く形成された幅広溝部９３ｃとを有する。但し、上記巻取パイプ９３には、第１の実施の形態の巻取パイプのような第１及び第２窪み部は形成されない。また係止部１０６は、凹条９３ａの狭隘溝部９３ｂに挿入される狭隘片１０６ａと、狭隘片１０６ａと一体的に設けられ凹条９３ａの幅広溝部９３ｃに挿入される幅広片１０６ｂとからなる。上記以外は第１の実施の形態と同一に構成される。
【００３６】
このように構成されたロールスクリーン９０の天井１９への取付方法は、固定部材１０５の係止部１０６を巻取パイプ９３の凹条９３ａにその端部からその軸線に沿って予め挿入しておくこと以外は、第１の実施の形態の取付方法と略同様であるので、繰返しの説明を省略する。
【００３７】
次に操作チェーン１６をスクリーン１４の右側から左側に移行するためにロールスクリーン９０を反転させる作業を説明する。先ず操作チェーン１６を操作してスクリーン１４を全て繰出し（図１１）、着脱手段４０のレバー４４を圧縮コイルばねの弾性力に抗してブラケット１８内に押込む。これにより第２係止片４２が第１係止片４１に近付いて第２係止片４２が支持バー１７の第１突起１７ａから外れるので、ロールスクリーン９０をブラケット１８から取外すことができる。次いで巻取パイプ９３を第１及び第２支持プレート１１，１２から外した後に、固定部材１０５の係止部１０６を巻取パイプ１０５の凹条９３ａから巻取パイプ９３の軸方向に引抜いて、スクリーン１４を巻取パイプ９３から外す。次にスクリーン１４を左右反転させた後に、係止部１０６を凹条９３ａに巻取パイプ９３の端部から巻取パイプ９３の軸線に沿って挿入する（図１２）。この状態で巻取パイプ９３を第１及び第２支持プレート１１，１２に取付け、支持バー１７を左右反転させた後に、再びブラケット１８に取付ける（図１３）。これにより操作チェーン１６がスクリーン１４の右側から左側に移行する。更に第２ストッパ１６ｂがプーリに接するまで第２ストッパ１６ｂを操作チェーン１６上でずらした後に、操作チェーン１６を操作してスクリーン１４を全て巻取り、この状態で第１ストッパ１６ａがプーリに接するまで第１ストッパ１６ａを操作チェーン１６上でずらす。これによりスクリーン１４の模様等を施した表面（意匠面）が室内側に向き、スクリーン１４の模様等を施していない裏面が窓側に向くので、スクリーン１４の見栄えを損なうことはない。この実施の形態では、上述のように作業性は低下するけれども、中間部材を用いずに済むので、第１及び第２の実施の形態より部品点数を削減できる。
【００３８】
＜第４の実施の形態＞
図１４〜図１６は本発明の第４の実施の形態を示す。図１４〜図１６において図１〜図３と同一符号は同一部品を示す。この実施の形態では、固定部材１３５の係止部１３６が、凹条９３ａに巻取パイプ９３の外周面から巻取パイプ９３の中心に向い弾性変形させて挿入されることにより、係止部１３６が凹条９３ａに直接離脱可能に係止するように構成される。即ち、この実施の形態では、第１及び第２の実施の形態のような中間部材は用いられない。具体的には、巻取パイプ９３の凹条９３ａは、巻取パイプ９３の外周面に露出し幅が狭く形成された狭隘溝部９３ｂと、この狭隘溝部９３ｂに連なり幅が上下に広く形成された幅広溝部９３ｃとを有する。但し、上記巻取パイプ９３には、第１の実施の形態の巻取パイプのような第１及び第２窪み部は形成されない。また係止部１３６は、凹条９３ａの狭隘溝部９３ｂに遊挿される狭隘片１３６ａと、狭隘片１３６ａと一体的に設けられ凹条９３ａの幅広溝部９３ｃに弾性変形した状態で挿入される幅広片１３６ｂとからなる。上記幅広片１３６ｂはその横断面が略Ｖ字状に形成され、狭隘片１３６ａは幅広片１３６ｂの屈曲部に連設され、狭隘片１３６ａ及び幅広片１３６ｂの横断面は略Ｙ字状に形成される。上記以外は第１の実施の形態と同一に構成される。
【００３９】
このように構成されたロールスクリーン１２０の天井１９への取付方法は、固定部材１３５の係止部１３６を巻取パイプ９３の凹条９３ａにその外周面から巻取パイプ９３の中心に向い、凹条９３ａの狭隘溝部９３ｂを通過できるように弾性変形させて予め挿入しておくこと以外は、第１の実施の形態の取付方法と略同様であるので、繰返しの説明を省略する。
【００４０】
次に、操作チェーン１６をスクリーン１４の右側から左側に移行するためにロールスクリーン１２０を反転させる作業は、スクリーン１４を巻取パイプ９３から取外すとき、巻取パイプ９３の凹条９３ａに挿入された固定部材１３５の係止部１３６を巻取パイプ９３の中心から半径方向外側に向って引っ張ることにより、係止部１３６の幅広片１３６ｂが弾性変形して凹条９３ａから引抜かれ、スクリーン１４を巻取パイプ９３に取付けるとき、固定部材１３５の係止部１３６を巻取パイプ９３の凹条９３ａにその外周面から巻取パイプ９３の中心に向い、凹条９３ａの狭隘溝部９３ｂを通過できるように弾性変形させて挿入すること以外は、第１の実施の形態の作業と略同様であるので、繰返しの説明を省略する。また、この実施の形態では、係止部１３６を凹条９３ａに係止するための作業性が第３の実施の形態より向上する。更に、中間部材を用いずに済むので、第１及び第２の実施の形態より部品点数を削減できる。
【００４１】
＜第５の実施の形態＞
図１７〜図１９は本発明の第５の実施の形態を示す。図１７〜図１９において図１〜図３と同一符号は同一部品を示す。この実施の形態では、中間部材１６０が、巻取パイプ１５３と一体的に設けられた第１及び第２被係止部１６１，１６２を有する。第１及び第２被係止部１６１，１６２は、巻取パイプ１５３の軸線を含みかつ凹条１５３ａを上下に２分割する平面に対して上下対称になるように凹条１５３ａの下部底面及び上部底面からそれぞれ突設される。具体的には、第１被係止部１６１は、巻取パイプ１５３の軸線に沿って延びかつ巻取パイプ１５３の半径方向外側に延び、先端が上方又は下方に屈曲する複数の第１突片１６１ａを有する。また第２被係止部１６２は、巻取パイプ１５３の軸線に沿って延びかつ巻取パイプ１５３の半径方向外側に延び、先端が下方又は上方に屈曲する複数の第２突片１６２ａを有する。更に係止部３６は、固着部３７と一体的に設けられ先端が下方に屈曲する複数のフック片３６ａを有する。複数のフック片３６ａが第１又は第２突片１６１ａ，１６２ａのいずれか一方に選択的に係止可能に構成される。上記以外は第１の実施の形態と同一に構成される。
【００４２】
このように構成されたロールスクリーンでは、中間部材１６０の第１及び第２被係止部１６１，１６２を巻取パイプ１５３と一体的に設けたので、部品点数を削減できる。一方、ロールスクリーン１５０の天井１９への取付方法や、操作チェーン１６をスクリーン１４の右側から左側に移行するためにロールスクリーン１５０を左右反転させる作業は、第１の実施の形態と略同様であるので、繰返しの説明を省略する。なお、上記第１〜第５の実施の形態では、一対の支持プレートを天井に取付けたが、一対の支持プレートを壁又は窓枠に取付けてもよい。
【符号の説明】
【００４３】
１０，６０，９０，１２０，１５０  ロールスクリーン
１１  第１支持プレート
１２  第２支持プレート
１３，６３，９３，１５３  巻取パイプ
１３ａ，６３ａ，９３ａ，１５３ａ  凹条
１４  スクリーン
１６  操作チェーン
１９  天井
３０，７０，１６０  中間部材
３１，７１，１６１  第１被係止部
３１ａ  第１連結片
３１ｂ，７１ａ，１６１ａ  第１突片
３２，７２，１６２  第２被係止部
３２ａ  第２連結片
３２ｂ，７２ａ，１６２ａ  第２突片
３３，１０３，１３３  固定部材
３４，１０４，１３４  係止部
３４ａ  フック片
３６  固着部
３７，７７  挿入部
【図１】
2015063885.tif 000003
【図２】
2015063885.tif 000004
【図３】
2015063885.tif 000005
【図４】
2015063885.tif 000006
【図５】
2015063885.tif 000007
【図６】
2015063885.tif 000008
【図７】
2015063885.tif 000009
【図８】
2015063885.tif 000010
【図９】
2015063885.tif 000011
【図１０】
2015063885.tif 000012
【図１１】
2015063885.tif 000013
【図１２】
2015063885.tif 000014
【図１３】
2015063885.tif 000015
【図１４】
2015063885.tif 000016
【図１５】
2015063885.tif 000017
【図１６】
2015063885.tif 000018
【図１７】
2015063885.tif 000019
【図１８】
2015063885.tif 000020
【図１９】
2015063885.tif 000021